(57)【特許請求の範囲】
【請求項１】
波形測定装置におけるトリガ基準の測定時間カウンタの表示システムであって、
アナログ入力信号をデジタル信号に変換するＡ／Ｄ変換器と、
アナログ入力信号の波形が例えば予め設定されている所定のレベルを超えたことを検出することによりトリガ信号をメモリ制御回路に出力するトリガ回路と、
前記Ａ／Ｄ変換器から変換出力される波形データの波形メモリへの取り込みを前記トリガ信号に基づいて制御するメモリ制御回路と、
前記トリガ回路からトリガ情報を取り込み、トリガ信号の発生回数、トリガ信号が受付可能になるまでのプリトリガに必要な時間、トリガ信号が発生してから測定が終了するまでのポストトリガに必要な時間を計測し表示する測定カウンタと、
前記メモリ制御回路から測定時間情報を取り込み、波形測定の開始から完了までの測定時間を計測し表示する測定時間カウンタと、
波形測定の開始と同期又は非同期に前記測定時間カウンタをリセットする手段と、を具備することを特徴とする測定時間カウンタの表示システム。
【請求項２】
前記測定カウンタは、プリトリガ中にはトリガ待ちになるまでの残時間をカウントダウン表示し、ポストトリガ中には測定終了までの残時間をカウントダウン表示することを特徴とする請求項１記載の測定カウンタの表示システム。
【請求項３】
前記測定カウンタ及び前記測定時間カウンタでは日、時間、分、秒及び１／１００秒を表示するための表示手段を備えることを特徴とする請求項１又は２に記載の測定時間カウンタの表示システム。
【発明の詳細な説明】
【０００１】
【発明の属する技術分野】
本発明は、波形観測装置における測定時間カウンタの表示システムに関する。
【０００２】
【従来の技術】
一般に、波形観測装置では、図３に示すようなトリガ基準の測定が行われている。このようなトリガ基準の測定には、次の３つの測定状態がある。
Pre：プリトリガ測定状態
Wait：トリガ待ち状態
Post：ポスト測定状態
ここで、トリガが成立してから観測時間長の測定が終了するまでの間、波形は表示更新されない。ただし、プリトリガ測定状態中（Pre）にトリガ条件が成立してもトリガは無視される。そのため、ユーザー（観測者）が手動でトリガをかける場合には、トリガ待ち状態（Wait）になるのを待つ必要がある。
【０００３】
従来の波形観測装置における表示システムの表示動作について図４を用いて説明する。波形観測装置を起動すると、波形測定の開始とともに、以下の４つの測定状態の表示を行う。具体的には、
測定中  Running  Pre・・・（プリトリガ中）
測定中  Running  Waiting  For  Trigger（トリガ待ち状態）
測定中  Running  Post・・・（ポストトリガ中）
測定終了  Stopped（測定終了ここでやっと波形表示更新）
の４つの測定状態である。
【０００４】
ここで、トリガが成立して観測時間長の測定が終了するまでの間、波形は表示更新されないため、観測時間長が短い時は波形の更新は速いが、観測長が長いと波形の更新は遅くなる。例えば観測時間長が５０秒なら、波形の更新は速くても５０秒に１回になる。
【０００５】
【発明が解決しようとする課題】
上記の動作の通り、観測時間長が長くなると波形の更新表示も遅くなるため、それぞれの表示画面を一見しただけでは、測定中なのかあるいは測定終了なのかが判断し難い。また、「あとどれくらいでトリガ待ちになるか？」「あとどれくらいで測定終了するか？」というような正確な測定状態を知りたいユーザーによっては、測定状態を示す３つのステータスだけでは情報が不足している。さらに、年々装置のメモリが増加して長時間観測の傾向にあるため、上記のような不満や要求はさらに強まりつつある。
【０００６】
本発明は、上記の事情に鑑みなされたものであり、測定カウンタと測定時間カウンタを組み合わせて、詳細な測定状態の情報を表示するカウンタ表示システムを提供することを目的とする。
【０００７】
【課題を解決するための手段】
上記の目的を達成するために、請求項１に記載の発明は、波形測定装置におけるトリガ基準の測定時間カウンタの表示システムであって、アナログ入力信号をデジタル信号に変換するＡ／Ｄ変換器と、アナログ入力信号の波形が例えば予め設定されている所定のレベルを超えたことを検出することによりトリガ信号をメモリ制御回路に出力するトリガ回路と、前記Ａ／Ｄ変換器から変換出力される波形データの波形メモリへの取り込みを前記トリガ信号に基づいて制御するメモリ制御回路と、前記トリガ回路からトリガ情報を取り込み、トリガ信号の発生回数、トリガ信号が受付可能になるまでのプリトリガに必要な時間、トリガ信号が発生してから測定が終了するまでのポストトリガに必要な時間を計測し表示する測定カウンタと、前記メモリ制御回路から測定時間情報を取り込み、波形測定の開始から完了までの測定時間を計測し表示する測定時間カウンタと、波形測定の開始と同期又は非同期に前記測定時間カウンタをリセットする手段と、を具備することを特徴とする。
【０００８】
従って、請求項１に記載の発明によれば、トリガ待ちになるまでの残時間表示及びトリガ発生から終了までの残時間表示が行われるので、容易に正確な測定状態をユーザが知ることが可能になる。また、波形測定の開始と同期して測定時間カウンタをリセットすることにより１回のトリガ測定にかかる時間を測定することが可能になり、測定時間カウンタのリセットを測定の開始と非同期で任意で行うことによりトータルの測定時間の計測が可能になる。
【０００９】
また、請求項２に記載の発明は、請求項１記載の測定カウンタの表示システムにおいて、前記測定カウンタは、プリトリガ中にはトリガ待ちになるまでの残時間をカウントダウン表示し、ポストトリガ中には測定終了までの残時間をカウントダウン表示することを特徴とする。
【００１０】
従って、請求項２に記載の発明によれば、プリトリガ状態で画面上部の測定カウンタＡの表示を見ることによりあとどのくらいでWAIT状態になるかが分かり、ポストトリガ状態で画面上部の測定カウンタＡの表示を見ることによりあとどのくらいで測定が終了するかが分かる。
【００１１】
さらに、請求項３に記載の発明は、請求項１又は２に記載した構成に加え、前記測定カウンタ及び前記測定時間カウンタでは日、時間、分、秒及び1/100秒を表示するための表示手段を備えることを特徴とする。
【００１２】
従って、請求項３に記載の発明によれば、カウンタ表示を日、時間、分、秒及び1/100秒の４種類にすることで、長時間測定と高速測定に対応することが可能になる。
【００１３】
【発明の実施の形態】
以下、本発明の実施の形態を説明する。
本発明では、Pre／Waiting／Postのそれぞれの測定状態に測定時間カウンタ表示を加えて、測定時間関係を詳細に表示する。
【００１４】
測定時間カウンタ表示については、基本的にはビデオ機器等で見慣れている［Hour：Min：Sec］のデジタルカウンタと同じ方式とし、必要に応じて長時間測定と高速測定に対応するため［Day（日）］と［1/100Sec］を加え、最大表示桁としては［Day  Hour：Min：Sec：1/100Sec］の意味を持つ［0  00：00：00．00］を表示する。
【００１５】
また、測定カウンタは、プリトリガ中にはトリガ待ちになるまでの残時間カウント値を表示し、ポストトリガ中には測定終了までの残時間カウント値を表示することにより、さらに詳細な情報を提供する。
【００１６】
図１は本発明を実施するための要部ブロック例図であり、デジタルオシロスコープに適用する例を示している。入力端子１に入力されるアナログ入力信号は、Ａ／Ｄ変換器２でデジタル信号に変換されるとともに、トリガ回路３に入力される。トリガ回路３は、アナログ入力信号の波形が例えば予め設定されている所定のレベルを超えたことを検出することにより、トリガ信号をメモリ制御回路４に出力する。メモリ制御回路４は、このトリガ信号に基づいて、Ａ／Ｄ変換器２から変換出力される波形データの波形メモリ５への取り込みを制御する。波形メモリ５に取り込まれた波形データは表示制御部６に読み出され、表示部７に測定波形が再生表示される。
【００１７】
測定カウンタ８は、トリガ回路３からトリガ情報を取り込み、トリガ信号の発生回数、トリガ信号が受付可能になるまでのPre-Triggerに必要な時間のダウンカウント、トリガ信号が発生してから測定が終了するまでのPost-Triggerに必要な時間のダウンカウントなどを行う。これらのカウントデータは表示制御部６に出力され、表示部７の表示画面の所定の位置に表示される。
【００１８】
測定時間カウンタ９は、メモリ制御回路４から測定時間情報を取り込み、測定開始要求が入力されることによりカウント値をリセットして０からアップカウントを行ったり、測定開始要求入力とは非同期の関係でリセット部１０からリセット信号が入力されることによりカウント値をリセットして０からアップカウントを行う。これらのカウントデータも表示制御部６に出力され、表示部７の表示画面の所定の位置に表示される。
【００１９】
図２に具体的な表示例を示す。図２では、Pre時間１０分・Post時間２０分・Wait状態になって６分後にトリガが発生した場合を示していて、画面の上部に次の状態に遷移するまでの残り時間を表示し、画面の下部には測定開始からの経過時間を表示する。
【００２０】
最初のストップ画面STOPでは、上部の測定カウンタＡにトリガ成立回数［１］を表示し、下部の測定時間カウンタＢに前回の測定に要した時間［00：00：43.21］を表示している。
【００２１】
この状態でSTART要求が発生すると、画面下部の測定時間カウンタＢに表示されている前回の測定に要した時間表示はリセットされ、START要求からの経過時間を表示する。ここで、測定時間カウンタＢをSTART毎にリセットする代わりにキーや通信コマンド、シリアルポート等のリセット手段を用意しておき、ユーザが自由にリセットできるようにして測定開始とカウンタリセットとを非同期にすることで、複数回の測定に要した全体の時間も計測できる。また、測定カウンタＡでその時間内におけるトリガの成立回数も解析できる。
【００２２】
PRE-TRIGGER状態では、画面上部の測定カウンタＡにPRE-TRIGGER待ち受けに必要な設定時間が順次カウントダウン表示され、０になるとトリガ受付可能なWAIT状態になる。この表示を見ることで、あとどのくらいでWAIT状態になるかが分かる。画面下部の測定時間カウンタＢは、START要求からの経過時間をカウントアップ表示する。
【００２３】
WAIT状態では、画面下部の測定時間カウンタＢは、START要求からの経過時間をカウントアップ表示する。
【００２４】
トリガが発生すると、画面上部の測定カウンタＡにPOST-TRIGGERに必要な設定時間が順次カウントダウン表示され、０になると測定が終了する。この表示を見ることで、あとどのくらいで測定が終了するかが分かる。
【００２５】
測定が終了すると、再びストップ画面STOPになる。このストップ画面STOPでは、画面上部の測定カウンタＡにトリガ成立回数［２］を表示し、画面下部の測定時間カウンタＢはSTARTからSTOPまでの測定に要した時間［00：00：36.00］を表示する。この表示時間は次回の測定の参考にする。
【００２６】
【発明の効果】
本発明によれば、測定カウンタと測定時間カウンタを組み合わせてあることから測定状態の詳細な情報を表示でき、これらの表示に基づいて測定中か測定終了か否か容易に判断することが可能になり、また、正確な測定状態をも知ることができる。
【図面の簡単な説明】
【図１】本発明を実施するためのデジタルオシロスコープの要部ブロック例図である。
【図２】本発明に基づく表示システムの表示例図である。
【図３】トリガ基準の測定の状態を示す説明図である。
【図４】従来の表示システムの表示例図である。
【図１】
0004085602.tif 000002
【図２】
0004085602.tif 000003
【図３】
0004085602.tif 000004
【図４】
0004085602.tif 000005